【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
互いにアッベ数が異なる複数の回折格子を積層した回折光学素子において、少なくとも一つの回折格子にはアッベ数２５以下のプラスチック材料または紫外線硬化樹脂を用いると共に、他の少なくとも一つの回折格子にはアッベ数４０以上の材料を用いることを特徴とする回折光学素子。
【請求項２】
互いにアッベ数が異なる複数の回折格子を積層した格子構造を持つことで使用波長領域全域で特定次数の回折光の回折効率を高くした回折光学素子において、少なくとも一つの回折格子にはアッベ数２５以下のプラスチック材料または紫外線硬化樹脂を用いると共に、他の少なくとも一つの回折格子にはアッベ数４０以上の材料を用いることを特徴とする回折光学素子。
【請求項３】
互いにアッベ数が異なる複数の回折格子を積層した回折光学素子において、前記複数の回折格子のそれぞれの格子厚は１０μｍ以下で、少なくとも一つの回折格子にはアッベ数２５以下のプラスチック材料または紫外線硬化樹脂を用いると共に、他の少なくとも一つの回折格子にはアッベ数４０以上の材料を用いることを特徴とする回折光学素子。
【請求項４】
互いにアッベ数が異なる複数の回折格子を積層した格子構造を持つことで使用波長領域全域で特定次数の回折光の回折効率を高くした回折光学素子において、前記複数の回折格子のそれぞれの格子厚は１０μｍ以下で、少なくとも一つの回折格子にはアッベ数２５以下のプラスチック材料または紫外線硬化樹脂を用いると共に、他の少なくとも一つの回折格子にはアッベ数４０以上の材料を用いることを特徴とする回折光学素子。
【請求項５】
前記複数の回折格子のそれぞれの格子厚は７．５μｍ以下であることを特徴とする請求項１、２、３又は４に記載の回折光学素子。
【請求項６】
前記アッベ数２５以下の材料を用いる回折格子は、空気層を介して、前記アッベ数４０以上の材料を用いる回折格子と積層してあることを特徴とする請求項１乃至請求項５のいずれかに記載の回折光学素子。
【請求項７】
前記複数の回折格子の各々が、格子ピッチをＰ、格子厚をｄとした時、ｄ／Ｐ＜１／６を満たすことを特徴とする請求項１乃至請求項６のいずれかに記載の回折光学素子。
【請求項８】
前記複数の回折格子の各々が、格子厚をｄ（μｍ）とした時、１＜ｄ＜６を満たすことを特徴とする請求項１乃至請求項７のいずれかに記載の回折光学素子。
【請求項９】
使用波長領域が可視域であることを特徴とする請求項１乃至請求項８のいずれかに記載の回折光学素子。
【請求項１０】
前記複数の回折格子は透明な基板上に形成されており、前記複数の回折格子の内の前記透明基板に最も近い回折格子は前記透明基板と同じ材質より成ることを特徴とする請求項１項乃至請求項９のいずれかに記載の回折光学素子。
【請求項１１】
使用波長領域全体に亘って回折効率が９７％以上となるように設計してあることを特徴とする請求項１乃至請求項１０に記載の回折光学素子。
【請求項１２】
ｄ線、Ｆ線、Ｃ線にそれぞれに関して回折効率が９９％以上となるように設計してあることを特徴とする請求項１乃至請求項１０のいずれかに記載の回折光学素子。
【請求項１３】
請求項１乃至請求項１２のいずれかに記載の回折光学素子と、レンズとを有することを特徴とする光学系。
【請求項１４】
請求項１乃至請求項１２のいずれかに記載の回折光学素子と、レンズとを有することを特徴とする結像光学系。
【請求項１５】
請求項１乃至請求項１２のいずれかに記載の回折光学素子と、レンズとを有することを特徴とする撮影光学系。
【請求項１６】
請求項１乃至請求項１２のいずれかに記載の回折光学素子と、レンズとを有することを特徴とする観察光学系。
【手続補正２】
【補正対象書類名】明細書
【補正対象項目名】００１３
【補正方法】変更
【補正の内容】
【００１３】
【課題を解決するための手段】
請求項１の発明の回折光学素子は、互いにアッベ数が異なる複数の回折格子を積層した回折光学素子において、少なくとも一つの回折格子にはアッベ数２５以下のプラスチック材料または紫外線硬化樹脂を用いると共に、他の少なくとも一つの回折格子にはアッベ数４０以上の材料を用いることを特徴としている。
【手続補正３】
【補正対象書類名】明細書
【補正対象項目名】００１４
【補正方法】変更
【補正の内容】
【００１４】
請求項２の発明の回折光学素子は、互いにアッベ数が異なる複数の回折格子を積層した格子構造を持つことで使用波長領域全域で特定次数の回折光の回折効率を高くした回折光学素子において、少なくとも一つの回折格子にはアッベ数２５以下のプラスチック材料または紫外線硬化樹脂を用いると共に、他の少なくとも一つの回折格子にはアッベ数４０以上の材料を用いることを特徴としている。


【手続補正４】
【補正対象書類名】明細書
【補正対象項目名】００１５
【補正方法】変更
【補正の内容】
【００１５】
請求項３の発明の回折光学素子は、互いにアッベ数が異なる複数の回折格子を積層した回折光学素子において、前記複数の回折格子のそれぞれの格子厚は１０μｍ以下で、少なくとも一つの回折格子にはアッベ数２５以下のプラスチック材料または紫外線硬化樹脂を用いると共に、他の少なくとも一つの回折格子にはアッベ数４０以上の材料を用いることを特徴としている。
【手続補正５】
【補正対象書類名】明細書
【補正対象項目名】００１６
【補正方法】変更
【補正の内容】
【００１６】
請求項４の発明の回折光学素子は、互いにアッベ数が異なる複数の回折格子を積層した格子構造を持つことで使用波長領域全域で特定次数の回折光の回折効率を高くした回折光学素子において、前記複数の回折格子のそれぞれの格子厚は１０μｍ以下で、少なくとも一つの回折格子にはアッベ数２５以下のプラスチック材料または紫外線硬化樹脂を用いると共に、他の少なくとも一つの回折格子にはアッベ数４０以上の材料を用いることを特徴としている。
【手続補正６】
【補正対象書類名】明細書
【補正対象項目名】００１７
【補正方法】変更
【補正の内容】
【００１７】
請求項５の発明は、請求項１、２、３又は４の発明において前記複数の回折格子のそれぞれの格子厚は７．５μｍ以下であることを特徴としている。
【手続補正７】
【補正対象書類名】明細書
【補正対象項目名】００１８
【補正方法】変更
【補正の内容】
【００１８】
請求項６の発明は、請求項１乃至５のいずれか１項の発明において前記アッベ数２５以下の材料を用いる回折格子は、空気層を介して、前記アッベ数４０以上の材料を用いる回折格子と積層してあることを特徴としている。
【手続補正８】
【補正対象書類名】明細書
【補正対象項目名】００１９
【補正方法】変更
【補正の内容】
【００１９】
請求項７の発明は、請求項１乃至６のいずれか１項の発明において前記複数の回折格子の各々が、格子ピッチをＰ、格子厚をｄとした時、ｄ／Ｐ＜１／６を満たすことを特徴としている。
【手続補正９】
【補正対象書類名】明細書
【補正対象項目名】００２０
【補正方法】変更
【補正の内容】
【００２０】
請求項８の発明は、請求項１乃至７のいずれか１項の発明において前記複数の回折格子の各々が、格子厚をｄ（μｍ）とした時、１＜ｄ＜６を満たすことを特徴としている。
【手続補正１０】
【補正対象書類名】明細書
【補正対象項目名】００２１
【補正方法】変更
【補正の内容】
【００２１】
請求項９の発明は、請求項１乃至８のいずれか１項の発明において使用波長領域が可視域であることを特徴としている。
【手続補正１１】
【補正対象書類名】明細書
【補正対象項目名】００２２
【補正方法】変更
【補正の内容】
【００２２】
請求項１０の発明は、請求項１乃至９のいずれか１項の発明において前記複数の回折格子は透明な基板上に形成されており、前記複数の回折格子の内の前記透明基板に最も近い回折格子は前記透明基板と同じ材質より成ることを特徴としている。
【手続補正１２】
【補正対象書類名】明細書
【補正対象項目名】００２３
【補正方法】変更
【補正の内容】
【００２３】
請求項１１の発明は、請求項１乃至１０のいずれか１項の発明において使用波長領域全体に亘って回折効率が９７％以上となるように設計してあることを特徴としている。
【手続補正１３】
【補正対象書類名】明細書
【補正対象項目名】００２４
【補正方法】変更
【補正の内容】
【００２４】
請求項１２の発明は、請求項１乃至１０のいずれか１項の発明においてｄ線、Ｆ線、Ｃ線にそれぞれに関して回折効率が９９％以上となるように設計してあることを特徴としている。
【手続補正１４】
【補正対象書類名】明細書
【補正対象項目名】００２５
【補正方法】変更
【補正の内容】
【００２５】
請求項１３の発明の光学系は、請求項１乃至請求項１２のいずれかに記載の回折光学素子と、レンズとを有することを特徴としている。
【手続補正１５】
【補正対象書類名】明細書
【補正対象項目名】００２６
【補正方法】変更
【補正の内容】
【００２６】
請求項１４の発明の結像光学系は、請求項１乃至請求項１２のいずれかに記載の回折光学素子と、レンズとを有することを特徴としている。
【手続補正１６】
【補正対象書類名】明細書
【補正対象項目名】００２７
【補正方法】変更
【補正の内容】
【００２７】
請求項１５の発明の撮像光学系は、請求項１乃至請求項１２のいずれかに記載の回折光学素子と、レンズとを有することを特徴としている。
【手続補正１７】
【補正対象書類名】明細書
【補正対象項目名】００２８
【補正方法】変更
【補正の内容】
【００２８】
請求項１６の発明の観察光学系は、請求項１乃至請求項１２のいずれかに記載の回折光学素子と、レンズとを有することを特徴としている。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】